(57)【特許請求の範囲】
【請求項１】
食器洗浄機内部で被洗浄物たる小物を洗浄するための小物洗浄器であって、
前記小物を収容するための篭部と、
前記篭部を内側で保持し、前記食器洗浄機には固定されない外枠部とを備え、
前記外枠部は、前記食器洗浄機内部で噴出される洗浄水の噴出力によって、前記篭部が前記外枠部の内側で回動可能なように、前記篭部を保持し、
前記小物洗浄器は、前記食器洗浄機内部に出し入れ可能な大きさを有し、前記食器洗浄機内部に固定されることなく空きスペースに載置して使用されることを特徴とする、小物洗浄器。
【請求項２】
前記篭部は、外側に突出した少なくとも一つの突出部を含むことを特徴とする、請求項１に記載の小物洗浄器。
【請求項３】
前記突出部は、回動軸に対して斜めに配置されていることを特徴とする、請求項２に記載の小物洗浄器。
【請求項４】
前記篭部は、内側を二以上の収容スペースに仕切るための少なくとも１つの仕切り部材を含むことを特徴とする、請求項１〜３のいずれかに記載の小物洗浄器。
【請求項５】
前記篭部は、上下が分離可能であり、
前記仕切り部材は、上下に分離された前記篭部に取り外し可能に取り付けられることを特徴とする、請求項４に記載の小物洗浄器。
【請求項６】
前記仕切り部材は、前記篭部の透孔に差し込まれることによって、前記篭部に取り付けられることを特徴とする、請求項５に記載の小物洗浄器。
【請求項７】
前記篭部は、端部に蓋部を有することを特徴とする、請求項１〜４のいずれかに記載の小物洗浄器。
【請求項８】
前記篭部は、上下が分離可能であることを特徴とする、請求項１〜４のいずれかに記載の小物洗浄器。
【請求項９】
前記篭部は、左右に分離可能であることを特徴とする、請求項１〜４のいずれかに記載の小物洗浄器。
【請求項１０】
前記篭部は、回動可能な二つ以上の篭部によって構成されおり、前記二つ以上の篭部が当接する部分でも回動可能であることを特徴とする、請求項１〜４のいずれかに記載の小物洗浄器。
【請求項１１】
前記篭部は、円柱状であり、蓋状の第１の面及び前記第１の面に対向する第２の面を有し、前記第１の面及び前記第２の面にそれぞれ軸受け構造を有し、外側に突出した少なくとも一つの突出部を有し、
前記外枠部は、角柱状の枠体であり、前記第１の面に対向する第１側面及び前記第２の面に対向する第２側面を有し、
前記第１側面又は前記第２側面は、前記篭部を内部に入れるために蓋部を有し、
前記第１側面及び前記第２側面は、それぞれ、前記第１の面及び前記第２の面における前記軸受け構造に対応するように、軸受け構造を有することを特徴とする、請求項１に記載の小物洗浄器。
【請求項１２】
前記篭部は、前記食器洗浄機内部で食器類を立てるための部材の外径よりも小さい複数の透孔を有することを特徴とする、請求項１〜１１のいずれかに記載の小物洗浄器。
【請求項１３】
前記外枠部は、前記食器洗浄機内部で食器類を立てるための部材の外径よりも小さい複数の透孔を有することを特徴とする、請求項１〜１２のいずれかに記載の小物洗浄器。
【請求項１４】
前記外枠部は、上下又は左右に分離可能であることを特徴とする、請求項１〜１３のいずれかに記載の小物洗浄器。
【発明の詳細な説明】
【技術分野】
【０００１】
本発明は、食器洗浄機内部に入れて被洗浄物たる小物を洗浄するための小物洗浄器に関する。
【背景技術】
【０００２】
近年、食器洗浄機で洗浄したい各種小物が多く利用されるようになってきた。たとえば、弁当の中身を漫画やアニメ等のキャラクターに模して飾り付けるいわゆるキャラ弁と呼ばれる弁当が流行しているが、キャラ弁を作成する際には、キャラクターの目鼻口などの形状にカットするための食材抜き型や、様々な形状のおにぎりを作るためのおにぎり型などの道具が利用される。また、キャラ弁以外の弁当であっても、おかずが互いに混ざらないように、シリコン製等の各種間仕切りを利用することもある。その他、弁当以外にも、乳幼児向けの食器類や、菓子を作る際に使用する道具などにも食器洗浄機で洗浄したい小物が多い。もちろん、箸やスプーン、フォーク等も小物として、食器洗浄機で洗浄したい。また、台所用品や食器類以外にも、たとえば、各種掃除道具や容器など、食器洗浄機で洗浄したい小物は、身の回りに多く存在する。このような被洗浄物たる小物を洗浄するために、従来、以下のような発明が提案されていた。
【０００３】
特許文献１に記載の網篭（４）は、小物を篭の中に入れることができ、食器洗浄機の洗浄水が網篭（４）に収容された小物に勢いよく当たることによって、小物が洗浄される。
【０００４】
特許文献２に記載の小物入れ（３）は、箸やスプーンなどの小物を立てかけることができ、立てかけられた小物が洗浄水で洗浄される。
【０００５】
特許文献３に記載の小物篭（２０）は、箸やスプーンなどの小物を立てかけることができ、立てかけられた小物が洗浄水で洗浄される。
【０００６】
特許文献４に記載のシャワー式洗浄機は、カバー体（２）で包囲された洗浄室（３）内に、被洗浄物を入れる筒形の洗浄篭（６）を支持ローラ（５）によって回転自在に略水平に支持する。洗浄ノズル管（７）から噴出される洗浄水の噴出力によって、洗浄篭（６）が回転して、洗浄篭（６）内の被洗浄物が洗浄される。
【０００７】
特許文献５に記載の洗浄機は、布巾等を食器洗浄機内で洗浄するための器具である。当該洗浄機は、食器洗浄機本体の内部に取り付けられた保護ボックス（１５）内に、布巾等を収容するための収容ドラム（５）を備える。収容ドラム（５）は、モータによって回転する。これにより、収容ドラム（５）に収容された布巾等が洗浄される。
【０００８】
特許文献６に記載の小物入れ（１）は、多数の透孔を有し上下両端を開放した円筒状の胴部（２）と、胴部（２）の下端開口面を閉塞して胴部（２）と分離可能な軸受部（３）とを備える。軸受部（３）は、食器篭に立設したピン（１０）に回動自在に差し込まれる。軸受部（３）には、複数の羽根（８）が設けられ、下方からの洗浄水によって、軸受部（３）及び胴部（２）が回転して、小物が洗浄される。
【０００９】
特許文献７に記載の食器洗浄器は、水道口に連通する供給管（９）からのノズル（１１）を器体の開口部に臨設し、多孔筒体（５）に設けられた翼板（７）に水圧をかけることによって、多孔筒体（５）を回転させて、多孔筒体（５）内部に収容した被洗浄物を洗浄する。
【先行技術文献】
【特許文献】
【００１０】
【特許文献１】特開平６−２１７９２０号公報
【特許文献２】特開２０００−２８７９０４号公報
【特許文献３】特開２００５−３４１号公報
【特許文献４】特開平５−７５４４号公報
【特許文献５】特開２００６−２３８９８４号公報
【特許文献６】実開昭５５−６３９６１号公報
【特許文献７】実開平５−２１８６０号公報
【発明の概要】
【発明が解決しようとする課題】
【００１１】
特許文献１に記載の網篭（４）は、食器洗浄機に出し入れ可能であるが、網篭（４）自体は回転しないため、小物がきれいに洗浄されない可能性がある。また、洗浄対象となる小物が容器状の場合、下に向けておかないと、洗浄水が適切に小物に当たらず、小物がきれいに洗浄されない可能性がある
【００１２】
特許文献２及び３に記載の小物入れ（３）や小物篭（２０）は、箸やスプーンなど、細長い小物の洗浄には適しているが、キャラ弁などに利用する複雑な形状の小物や小片状の小物の洗浄には適していない。このような小物を特許文献２及び３に記載の小物入れ（３）や小物篭（２０）に入れた場合、底に小物が集まってしまい、適切に洗浄できない。軽い小物を洗浄する場合、上部の開口から、小物が飛び出してしまい、食器洗浄機内部に散乱する可能性がある。
【００１３】
特許文献４に記載のシャワー式洗浄機は、それ自体が、食器洗浄機として機能する。そのため、このようなシャワー式洗浄機は、多数の箸などを洗浄するために、業務用に利用されることが多く、家庭用に利用されることはない。特許文献４に記載のシャワー式洗浄機は、当然、家庭用の食器洗浄機に出し入れ可能に入れることはできない。
【００１４】
特許文献５に記載の洗浄機は、主に、家庭用の食器洗浄機内で利用されるものであるが、食器洗浄機内に固定されているため、使用しない場合は、余計なスペースを取ってしまうこととなり、邪魔である。しかも、収容ドラム（５）は、モータで回転するため、複雑な構造となる。なお、特許文献５の段落００３８には、モータを設けず、洗浄水で回転するようにしてもよい旨が示唆されている。しかし、保護ボックス（１５）は、相変わらず食器洗浄機内に固定されており、余計なスペースを取ってしまい、邪魔である。また、洗浄水によって効率的に回転させる構造を、特許文献５は開示していない。さらに、特許文献５の段落００３３及び００３７には、保護ボックス（１５）及び収容ドラム（５）を本体（２）から着脱可能にできる旨が開示されており、使用しない場合は、庫内から取り外すことができる旨が開示されている。しかし、回転のための軸受け構造（回転軸（１０））は、庫内に設けられている。したがって、着脱したとしても、使用する際には、回転軸（１０）に差し込んだ上で使用しなければならず、任意の空きスペースを利用して小物洗浄を行うことができない。
【００１５】
特許文献６は、特許文献２及び３と同様、細長い小物の洗浄には適しているが、キャラ弁などに利用する複雑な形状の小物や小片状の小物の洗浄には適していない。回転することによって、洗浄力が高まるが、上部の開口から、小物が飛び出してしまい、食器洗浄機内部に散乱する可能性がある。また、ピン（１０）の設けられた所にしか、小物入れ（１）を設置することができないので、設置場所の自由度がない。
【００１６】
特許文献７に記載の食器洗浄器は、それ自体が、食器洗浄器として機能する。したがって、特許文献７に記載のシャワー式洗浄機は、当然、家庭用の食器洗浄機に出し入れ可能に入れることはできない。
【００１７】
食器洗浄機には、まず、食器類や箸類など、大きめの被洗浄物が適切な位置に配置される。その上で、空いたスペースに、特許文献１に記載のような出し入れ可能な小物洗浄器が任意の位置に置かれて、小物が洗浄されるのが好ましい。したがって、そもそも、別体の洗浄器として用いられる特許文献４及び７のような洗浄器は、小物洗浄器としては不適切である。また、特許文献６のように、設置場所が限定される洗浄器も小物洗浄器としては不適切である。しかし、特許文献１は、回転しないので、うまく洗浄できない可能性がある。特許文献２及び３に記載の小物洗浄器であったとしても、形状から考慮すれば、設置場所は、食器洗浄機内の平らな場所でなければならず、設置場所は制限される。また、特許文献２、３、及び６の小物洗浄器は、小物が散乱してしまう可能性がある。
【００１８】
特許文献５のように、食器洗浄機に固定されている小物洗浄器は、不要なときに、余計なスペースを取ることとなり邪魔となる。仮に、取り外し可能であってとしても、洗浄の際には、所定の位置に、小物洗浄器を取り付けなければならない。食器洗浄機内では、被洗浄物は、あらゆるパターンで設置されるので、日々、空きスペースの状況は変化する。大型の皿を洗浄する場合もあれば、小型の皿だけを洗浄する場合もあり、湯飲みなどの洗浄が多い場合もあれば、ボールなどの料理器具を洗浄する場合もある。そのような状況で、小物洗浄器を空きスペースに設置した上で、小物を洗浄しなければならないわけであるから、小物洗浄器の設置場所は、任意の場所でなければならない。特許文献５に記載されている小物洗浄器では、設置場所が制限されてしまい、実用面では不向きである。
【００１９】
それゆえ、本発明は、食器洗浄機に出し入れ可能であり、食器洗浄機内に設置可能で、効果的に小物を洗浄することができる小物洗浄器を提供することを目的とする。
【課題を解決するための手段】
【００２０】
上記課題を解決するために、本発明は、以下のような特徴を有する。本発明は、食器洗浄機内部で被洗浄物たる小物を洗浄するための小物洗浄器であって、小物を収容するための篭部と、篭部を内側で保持し、前記食器洗浄機には固定されない外枠部とを備える。外枠部は、食器洗浄機内部で噴出される洗浄水の噴出力によって、篭部が外枠部の内側で回動可能なように、篭部を保持する。小物洗浄器は、食器洗浄機内部に出し入れ可能な大きさを有し、食器洗浄機内部に固定されることなく空きスペースに載置して使用される。
【００２１】
このように、篭部を外枠部の内側で回動可能なように保持し、全体を食器洗浄機内部に出し入れ可能な大きさとして、食器洗浄機内部に載置可能にすれば、食器洗浄機内の空きスペースに、小物洗浄器を設置することが可能である。篭部は、洗浄水の噴出力によって、回動する。これにより、小物が効果的に洗浄されることとなる。
【００２２】
好ましくは、篭部は、外側に突出した少なくとも一つの突出部を含むとよい。これにより、突出部に、洗浄水が当たることによって、篭部が効率的に回動することとなり、小物の洗浄力がより向上する。
【００２３】
好ましくは、突出部は、回動軸に対して斜めに配置されているとよい。このように、突出部を斜めに配置することによって、小物洗浄器をどのような位置に配置した場合でも（たとえば、略垂直に設置した場合でも）、洗浄水が突出部に当たることとなり、効率的に篭部が回動することとなる。
【００２４】
好ましくは、篭部は、内側を二以上の収容スペースに仕切るための少なくとも１つの仕切り部材を含むとよい。このように、仕切り部材を設けることによって、収納スペースを複数に分割することができ、小物洗浄器を斜めや略垂直に設置した場合でも、被洗浄物が下方に集まってしまうのを防止することができる。これにより、どのように小物洗浄器が設置されたとしても、効果的に洗浄することが可能となる。
【００２５】
好ましくは、篭部は、上下が分離可能であり、仕切り部材は、上下に分離された篭部に取り外し可能に取り付けられるとよい。これにより、必要性に応じて、収納スペースを仕切ることができる。上下に分離可能とすることによって、仕切り部材の取り外しが容易となる。
【００２６】
好ましくは、仕切り部材は、篭部の透孔に差し込まれることによって、篭部に取り付けられるとよい。これにより、仕切り部材の固定がなされる。
【００２７】
好ましくは、篭部は、端部に蓋部を有するとよい。これにより、簡易な構造で、被洗浄物を篭部に収容することができる。
【００２８】
好ましくは、篭部は、上下が分離可能であるとよい。これにより、簡易な構造で、被洗浄物を篭部に収容することができる。
【００２９】
好ましくは、篭部は、左右に分離可能であるとよい。これにより、簡易な構造で、被洗浄物を篭部に収容することができる。
【００３０】
好ましくは、篭部は、回動可能な二つ以上の篭部によって構成されおり、二つ以上の篭部が当接する部分でも回動可能であるとよい。これにより、収納スペースを複数に分割することができ、小物洗浄器を斜めや略垂直に設置した場合でも、被洗浄物が下方に集まってしまうのを防止することができる。これにより、どのように小物洗浄器が設置されたとしても、効果的に洗浄することが可能となる。
【００３１】
好ましくは、篭部は、円柱状であり、蓋状の第１の面及び第１の面に対向する第２の面を有し、第１の面及び第２の面にそれぞれ軸受け構造を有し、外側に突出した少なくとも一つの突出部を有する。外枠部は、角柱状の枠体であり、第１の面に対向する第１側面及び第２の面に対向する第２側面を有する。第１側面又は第２側面は、篭部を内部に入れるために蓋部を有する。第１側面及び第２側面は、それぞれ、第１の面及び第２の面における軸受け構造に対応するように、軸受け構造を有する。このような簡易な構造によって、篭部を洗浄水の噴出力によって回動させて、被洗浄物を効率的に洗浄することができ、食器洗浄機の空きスペースに小物洗浄器を載置することが可能となる。
【００３２】
好ましくは、篭部は、食器洗浄機内部で食器類を立てるための部材の外径よりも小さい複数の透孔を有する。これにより、食器洗浄機内部で食器類を立てるための部材であるピンなどが篭部に突き刺さるのを防止することができ、結果、回動が制止されるのを防止することができ、効率的に被洗浄物を洗浄することが可能となる。
【００３３】
好ましくは、外枠部は、食器洗浄機内部で食器類を立てるための部材の外径よりも小さい複数の透孔を有する。これにより、食器洗浄機内部で食器類を立てるための部材であるピンなどが篭部に突き刺さるのを防止することができ、結果、回動が制止されるのを防止することができ、効率的に被洗浄物を洗浄することが可能となる。
【００３４】
また、外枠部は、上下又は左右に分離可能であってもよい。これにより、篭部を外枠部に収容するのが容易になったり、外枠部の構造が簡易になる。
【発明の効果】
【００３５】
本発明によれば、篭部を外枠部の内側で回動可能なように保持し、全体を食器洗浄機内部に出し入れ可能な大きさとして、食器洗浄機内部に載置可能にすることによって、食器洗浄機内の空きスペースに、小物洗浄器を設置することが可能となる。篭部は、洗浄水の噴出力によって、回動する。これにより、小物が効果的に洗浄されることとなる。
【００３６】
本発明のこれら、及び他の目的、特徴、局面、効果は、添付図面と照合して、以下の詳細な説明から一層明らかになるであろう。
【図面の簡単な説明】
【００３７】
【図１】図１は、本発明の第１の実施形態に係る小物洗浄器１の斜視図である。
【図２】図２は、図１の反対方向から見たときの小物洗浄器１の斜視図である。
【図３】図３は、小物洗浄器の分解斜視図である。
【図４】図４は、篭部２の正面図である。
【図５】図５は、小物洗浄器１の断面図である。
【図６】図６は、本発明の第２の実施形態に係る篭部２０を示す斜視図である。
【図７】図７は、篭部２０の上篭部２２を開けたときの様子を示す斜視図である。
【図８】図８は、仕切り部材２８が取り付けられたときの篭部２０の斜視図である。
【図９】図９は、他の実施形態である篭部３０の概略構造を示す図である。
【図１０】図１０は、他の実施形態である篭部３１の概略構造を示す図である。
【図１１】図１１は、他の実施形態である篭部３２の概略構造を示す図である。
【図１２】図１２は、他の実施形態である篭部３３の概略構造を示す図である。
【図１３】図１３は、他の実施形態である篭部３４の概略構造を示す正面図である。
【図１４】図１４は、他の実施形態である外枠部４０の上蓋部４０ａの概略構造を示す正面図及び平面図である。
【図１５】図１５は、他の実施形態である外枠部４０の下本体部４０ｂの概略構造を示す正面図及び平面図である。
【図１６】図１６は、他の実施形態である外枠部４０の分解正面図である。
【図１７】図１７は、他の実施形態である外枠部４０の正面図である。
【発明を実施するための形態】
【００３８】
（第１の実施形態）
図１は、本発明の第１の実施形態に係る小物洗浄器１の斜視図である。図２は、図１の反対方向から見たときの小物洗浄器１の斜視図である。図３は、小物洗浄器の分解斜視図である。図４は、篭部２の正面図である。図５は、小物洗浄器１の断面図である。
【００３９】
小物洗浄器１は、篭部２と、外枠部３とを備える。篭部２は、第１の面１２と、第２の面１３とによって、被洗浄物たる小物を収容し封入可能な円柱状であり、複数の透孔を有する。好ましくは、複数の透孔は、食器洗浄機内において、食器類を立てるために使用される針金や樹脂部材によって構成されているピン（掛架ともいう）の外径よりも小さい孔であるとよい。第１の面１２は、篭部２から取り外し可能な蓋であり、略中心に第１の回動軸８を有する。第２の面１３は、略中心に第２の回動軸１１を有する。なお、図上、第２の面１３は、取り外しできない構造になっているが、第１の面１２と同様に、蓋状に取り外し可能であってもよい。なお、第１の面１２は、回動中、蓋が外れないように、留め部（図示せず）によって、篭部２本体に固定されているとよい。たとえば、留め部（図示せず）としては、篭部２の内側円周面の少なくとも一部に設けられた凸部と第１の面１２の外側円周面の少なくとも一部に設けられた凹部とが用いられるとよいが、特に限定されない。第１の面１２が取り外されて、篭部２の内部に被洗浄物が収容され、封入される。第１の面１２及び第２の面１３には、複数の透孔が設けられているが、第１の面１２及び第２の面１３の透孔はなくてもよい。篭部２は、略等間隔に、外側に突出した複数の突出部４を有する。
【００４０】
外枠部３は、第１の面１２に対向する第１側面６と、第２の面１３に対向する第２側面９とを有する略四角柱状の枠体である。第１側面６は、取り外し可能な蓋部５を有する。蓋部５は、第１の回動軸８を回動可能にするための第１の軸受け部７を有する。蓋部５に設けられた凸部５ａと、外枠３に設けられた切り込み部５ｂとによって、蓋部５を回転させて凸部５ａを切り込み部５ｂに引っ掛けることによって蓋部５が外れないようにしている。なお、その他、蓋部５は、回動中、蓋が外れないように、留め部（図示せず）によって、外枠部３本体に固定されていてもよい。たとえば、留め部（図示せず）としては、第１側面６の内側円周面の少なくとも一部に設けられた凸部と蓋部５の外側円周面の少なくとも一部に設けられた凹部とが用いられてもよいが、特に限定されない。第２側面９は、第２の回動軸１１を回動可能にするための第２の軸受け部１０を有する。このようにして、外枠部３は、内側で回動可能なように、篭部２を保持する。
【００４１】
なお、図１では、外枠部３は、縦横の支柱によって構成されているが、好ましくは、食器洗浄機内において、食器類を立てるために使用される針金や樹脂部材によって構成されているピンの外径よりも小さい複数の透孔によって、網状に構成されているとよい。なお、外枠部３側に軸が設けられており、篭部２側に軸受け部が設けられているような構造であってもよい。また、本発明において、外枠部３が篭部２を回動可能に保持するのであれば、軸受け構造以外の周知の構造によって、外枠部３が篭部２を保持してもよい。
【００４２】
被洗浄物が収容され封止された篭部２は、蓋部５が取り外された第１側面６から外枠部３に挿入される。そして、蓋部５が閉じられる。これにより、軸受け構造によって、篭部２が外枠部３に回動可能に保持される。
【００４３】
小物洗浄器１は、食器洗浄機（図示せず）内に出し入れ可能な程度の大きさである。たとえば、限定されるものではないが、奥行き５センチメートル、高さ５センチメートル、幅２０センチメートル程度である。したがって、小物洗浄器１は、食器洗浄機内の任意の場所に載置することができる。たとえば、食器洗浄機内でコップなどを載置する平らな場所や、皿などを立てるピンが配置されている場所、載置された食器類の上など、あらゆる場所に載置することができる。食器洗浄機内で噴出される洗浄水が、突出部４及び篭部２に当たることによって、篭部２が回転し、被洗浄物が効果的に洗浄される。
【００４４】
食器洗浄機内において、ピンや箸やスプーンなどの細長いものが篭部２に当たることによって、篭部２の回転が妨げられる可能性があるが、これらを避けるように、小物洗浄器１を載置すれば、篭部２の回転が妨げられることなく、被洗浄物を洗浄することができる。ただし、回転が妨げられたとしても、洗浄水は小物に当たるので、小物の洗浄が可能である場合もある。
【００４５】
なお、篭部２の透孔をピンの外径よりも小さくしておけば、ピンが篭部２に突き刺せることがないので、載置可能な場所が増える。若しくは、外枠部３が複数の透孔を有するようにしておき、当該透孔がピンの外径よりも小さくなるようにしておけば、ピンが小物洗浄器１に突き刺さって、篭部２の回動が妨げられることが防止できる。なお、本発明では、小物洗浄器１の載置場所を適切に選択すれば篭部２が適切に回転するので、篭部２又は外枠部３の透孔をピンの外径よりも小さくしておくことは必須ではない。食器類の上やピンが存在しない平らな場所に、小物洗浄器１を載置すればピンが刺さるような透孔を篭部２又は外枠部３が有していたとしても、被洗浄物の洗浄は可能である。
【００４６】
また、小物洗浄器１は、水平に載置するだけでなく、斜めに傾いて載置したり、垂直に載置したりしたとしても、篭部２が回動するので、被洗浄物が撹拌されて洗浄される。すなわち、小物洗浄器１を食器類に立て掛けるようにして斜めに載置したり、小物洗浄器１を食器洗浄機の壁面に立て掛けるように略垂直に載置したりしてもよい。
【００４７】
なお、突出部４がピンに当たったとしても、篭部２が振り子状にスイングすることになるので、被洗浄物の洗浄が可能である。また、図４の正面から見た場合、篭部２が左右にぶれるように、軸受け構造に余裕を持たせておけば、篭部２がピンを避けるようにして左右に動くことが期待できる。
【００４８】
食器洗浄機内部の構造は、区々であるが、第１の実施形態に係る小物洗浄器１のような構造にすることによって、空きスペースに小物洗浄器１を載置し、篭部２が回動するようにすれば、小物を効果的に洗浄することが可能となる。
【００４９】
なお、第１の実施形態では、篭部２は、一回転可能なような軸受け構造を有することとしたが、一回転せずに、振り子のようにスイングするように回動するような軸受け構造であってもよい。また、篭部２が一回転しないように、篭部２の回動を制止するストッパーを設けて、スイングするように回動するような構造を設けてもよい。
【００５０】
なお、突出部４がなくても篭部２は回動するので、本発明において、突出部４は、必須ではない。なお、突出部４は、一つでもよい。
【００５１】
（第２の実施形態）
図６は、本発明の第２の実施形態に係る篭部２０を示す斜視図である。篭部２０は、下篭部２１と、上篭部２２と、第１の面２３と、第２の面２４と、第１の回動軸２５と、第２の回動軸２６とを含む。図７は、篭部２０の上篭部２２を開けたときの様子を示す斜視図である。図７に示すように、複数の回動手段２７によって、上篭部２２は、下篭部２１から回動可能に開いて分離可能になっている。なお、回動手段２７を設けるのではなく、上篭部２２が下篭部２１から着脱可能に分離できるようになっていてもよい。なお、回動中に、上篭部２２が下篭部２１から外れてこないように、篭部２０は、上篭部２２と下篭部２１とを止めるための留め部（図示せず）を有している。留め部（図示せず）の構造としては、たとえば、上篭部２２から断面レの字状に突出した複数の部材が、下篭部２１の透孔に引っかかるような構造であるとよいが、特に限定されるものではない。第２の実施形態では、第１の回動軸２５及び第２の回動軸２６によって得られる回動軸に対して略平行に、篭部２０が上下に分離するようになっている。第２の実施形態では、さらに、仕切り部材２８を篭部２０に差し込みことにする。
【００５２】
仕切り部材２８は、篭部２０に設けられた透孔に差し込まれるための複数の突出部２９を有する。なお、突出部２９は、少なくとも一つあればよい。このようにして、仕切り部材２８は、篭部２０に取り外し可能に取り付けられる。図８は、仕切り部材２８が取り付けられたときの篭部２０の斜視図である。図８に示すように、仕切り部材２８によって、篭部２０内部を２つの空間に分離することが可能となる。なお、仕切り部材２８を複数差し込んで、篭部２０内部を３以上の空間に分離してもよい。
【００５３】
このように、第２の実施形態によれば、篭部２０内部の空間を仕切り部材２８によって分離し、分離して得られたスペースに小物を収容し、上篭部２２を閉じる。これにより、小物洗浄器１が略垂直に載置された場合や、斜めに載置された場合であっても、小物が底に集まることなく仕切り部材２８を境に、上下に分離されることとなり、小物の洗浄が効果的に行われる。
【００５４】
なお、もちろん、上下に篭部２０を分離して、仕切り部材２８を用いることなく小物を収容してもよい。
【００５５】
なお、篭部２０においても、突出部４を設けてもよいが、必須ではない。
【００５６】
（その他の変形例）
図９は、他の実施形態である篭部３０の概略構造を示す図である。図９に示すように、篭部３０は、回動軸も含めて、上下に分離可能で、上篭部３０ａと下篭部３０ｂとが留め部（図示せず）によって、着脱可能になっている。留め部（図示せず）の構造としては、たとえば、上篭部３０ａから断面レの字状に突出した複数の部材が、下篭部３０ｂの透孔に引っかかるような構造であるとよいが、特に限定されるものではない。このように、篭部３０を回動軸に対して略平行に上下に分離可能な構造として、分離した状態で、小物を収容するようにしてもよい。なお、篭部３０においても、突出部（図示せず）が設けられているとよいが、必須ではない。
【００５７】
図１０は、他の実施形態である篭部３１の概略構造を示す図である。図１０に示すように、篭部３１は、左右に分離可能で、左篭部３１ａと右篭部３１ｂとが留め部（図示せず）によって、着脱可能になっている。留め部（図示せず）の構造としては、たとえば、左篭部３１ａから断面レの字状に突出した複数の部材が、右篭部３１ｂの透孔に引っかかるような構造であるとよいが、特に限定されるものではない。このように、篭部３１を回動軸に対して略垂直に左右に分離可能な構造として、分離した状態で、小物を収容するようにしてもよい。なお、篭部３１においても、突出部（図示せず）が設けられているとよいが、必須ではない。
【００５８】
図１１は、他の実施形態である篭部３２の概略構造を示す図である。篭部３２は、互いに回動可能な二つの篭部３２ａ，３２ｂによって構成されている。篭部３２ａ，３２ｂの構成は、幅の相違を除いて、第１の実施形態に係る篭部２と同様である。ただし、図上、左側の篭部３２ａの右端面は蓋３２ｃになっている。蓋３２ｃは、回動軸３２ｄを回動可能にするための軸受け部３２ｅを有する。このように、回動可能な二つ以上の篭部３２ａ，３２ｂを設けて、当該二つ以上の篭部３２ａ，３２ｂが当接する部分（３２ｃ）でも回動可能となるようにして、篭部３２を構成してもよい。このような構造にすることによって、小物洗浄器１を立脚させた場合や斜めに立て掛けた場合でも、小物が底に集まることなく効果的に洗浄することができる。なお、篭部３２においても、突出部（図示せず）が設けられているとよいが、必須ではない。
【００５９】
図１２は、他の実施形態である篭部３３の概略構造を示す図である。図１２に示すように、篭部３３は、円柱状である場合に限られず、角柱状であっても、球体状、楕円球体状であってもよい。すなわち、本発明において、篭部は、外枠部に回動可能に保持されるのであれば、どのような形状であってもよい。同様に、外枠部は、篭部を回動可能に保持するのであれば、どのような形状であってもよく、円柱状であってもよいし、角柱状でもよい。
【００６０】
なお、外枠部についても、上下又は左右に分離可能にして、篭部を保持するようにしてもよい。たとえば、外枠部を上下に分離可能にする構造として、図１４〜図１７に示す構造が考えられる。図１４は、他の実施形態である外枠部４０の上蓋部４０ａの概略構造を示す正面図及び平面図である。図１５は、他の実施形態である外枠部４０の下本体部４０ｂの概略構造を示す正面図及び平面図である。図１６は、他の実施形態である外枠部４０の分解正面図である。図１７は、他の実施形態である外枠部４０の正面図である。上蓋部４０ａから突出した凸部４０ｃを複数設ける。下本体部４０ｂには、凸部４０ｃをはめ合わせることができる複数の凹部４０ｄを設ける。下本体部４０ｂの回動軸中心位置に設けられた凹部４０ｅに篭部の軸が挿入され、図１６に示すように、凸部４０ｃと凹部４０ｄとをはめ合わせることによって、図１７のように、上下が合体した外枠部４０が提供される。図１４〜図１７に示したような凹凸部による上下分離構造は、外枠部の左右分離構造にも適用できる。また、図１４〜図１７に示したような凹凸部による上下分離構造は、篭部の上下分離構造及び左右分離構造にも適用できる。
【００６１】
図１３は、他の実施形態である篭部３４の概略構造を示す正面図である。図１３において、篭部３４は、突出部４を回動軸に対して斜めになるように配置している。篭部３４において、突出部４以外の構造は、第１の実施形態に係る篭部２と同様である。このように、突出部４を回動軸に対して斜めに配置することによって、篭部３４がどのような体勢で食器洗浄機内に載置されたとしても、洗浄水が突出部４に効率的に当たり、その噴出力によって、篭部３４が効果的に回動することとなる。
【００６２】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００６３】
本発明は、小物洗浄器であり、産業上利用可能である。
【符号の説明】
【００６４】
１  小物洗浄器
２，２０，３０，３１，３２，３２ａ，３２ｂ，３３，３４  篭部
３，４０  外枠部
４  突出部
５  蓋部
５ａ  凸部
５ｂ  切り込み部
６  第１側面
７  第１の軸受け部
８，２５  第１の回動軸
９  第２側面
１０  第２の軸受け部
１１，２６  第２の回動軸
１２，２３  第１の面
１３，２４  第２の面
２１，３０ａ  下篭部
２２，３０ｂ  上篭部
２７  回動部
２８  仕切り部材
２９  突出部
３１ａ  左篭部
３１ｂ  右篭部
３２ｃ  蓋
３２ｄ  軸
３２ｅ  軸受け部
４０ａ  上蓋部
４０ｂ  下本体部
４０ｃ  凸部
４０ｄ  凹部
４０ｅ  凹部
【図１】
0005603693.tif 000002
【図２】
0005603693.tif 000003
【図３】
0005603693.tif 000004
【図４】
0005603693.tif 000005
【図５】
0005603693.tif 000006
【図６】
0005603693.tif 000007
【図７】
0005603693.tif 000008
【図８】
0005603693.tif 000009
【図９】
0005603693.tif 000010
【図１０】
0005603693.tif 000011
【図１１】
0005603693.tif 000012
【図１２】
0005603693.tif 000013
【図１３】
0005603693.tif 000014
【図１４】
0005603693.tif 000015
【図１５】
0005603693.tif 000016
【図１６】
0005603693.tif 000017
【図１７】
0005603693.tif 000018